(57)【要約】【課題】消費電力がより少なく、妨害波の放射もより少ない無線装置を提供する。【解決手段】予備システムでは、現用システムから送られてきた信号から、障害が発生した現用システムの信号をセレクタが選択する。システム識別信号付与部は、セレクタの選択したポートから、どの現用システムの信号が選択されたか検出し、現用システムの識別番号をシステム識別信号として、主信号にインバンドで付与する。システム識別信号検出部は、受信した主信号にインバンドで付与されているシステム識別信号から得られた情報に対応する現用システムのみに主信号を分配するよう分配部を制御する。【選択図】図４
2013197806.tif 000002
【特許請求の範囲】
【請求項１】
複数の現用システムに対し予備システムを設け、現用システムにおける障害が発生した場合に、現用システムの主信号を予備システムを介して転送する、光信号を無線信号として転送したり、無線信号を光信号として転送する無線装置であって、
障害が発生した現用システムからの主信号を選択した際に、該現用システムの識別番号を、システム識別信号として、送出する主信号に付与するシステム識別信号付与部と、
受信した主信号を現用システムに分配する分配部と、
受信した主信号に付与されている該システム識別信号から、予備システムを使用している現用システムの識別番号を取得し、該識別番号に対応する現用システムのみに、受信した主信号を分配するように、該分配部を制御するシステム識別信号検出部と、
を備えることを特徴とする無線装置。
【請求項２】
前記システム識別信号は、前記主信号にインバンドで付与されることを特徴とする請求項１に記載の無線装置。
【請求項３】
前記主信号は、ＳＴＭ相当のフレームで構成され、前記システム識別信号は、ＳＴＭ相当のフレームのオーバヘッドのＺ２バイトに設定されることを特徴とする請求項２に記載の無線装置。
【請求項４】
前記システム識別信号検出部は、
前記識別番号が現用システムのものではない場合に、前記主信号がいずれの現用システムにも分配されないように、前記分配部を制御することを特徴とする請求項１に記載の無線装置。
【請求項５】
前記システム識別信号付与部に送信される現用システムの主信号の内から、障害が発生した現用システムからの主信号を選択するセレクタ、
をさらに備えることを特徴とする請求項１に記載の無線装置。
【請求項６】
前記セレクタに、障害が発生した現用システムからの主信号のみを選択して送信するイネーブルスイッチ、
をさらに備えることを特徴とする請求項５に記載の無線装置。
【請求項７】
複数の現用システムに対し予備システムを設け、現用システムにおける障害が発生した場合に、現用システムの主信号を予備システムを介して転送する、光信号を無線信号として転送したり、無線信号を光信号として転送する無線装置における制御方法であって、
障害が発生した現用システムからの主信号を選択した際に、該現用システムの識別番号を、システム識別信号として、送出する主信号に付与し、
受信した主信号に付与されている該システム識別信号から、予備システムを使用している現用システムの識別番号を取得し、該識別番号に対応する現用システムのみに、受信した主信号を分配する、
ことを特徴とする制御方法。
【発明の詳細な説明】
【技術分野】
【０００１】
以下の実施形態は、無線装置に関する。
【背景技術】
【０００２】
図１は、N+1システムSDH無線装置の構成例を示す図である。
図１において1-1及び1-2は無線端局装置である。4-1及び4-2はMODEM装置である。6は無線送受信装置である。7は監視制御装置である。8はアンテナである。また、2-1〜nは無線端局内の現用システムである。3-1は予備システムである。5-1〜n+1はMODEM装置内の各システムのMODEMである。
【０００３】
搬送端局（光ネットワークへ信号を送出したり、光ネットワークから信号を受信する端局）とのOptical Interface；OPT1〜n（in/out）が2-1〜n現用システムにそれぞれ接続されている。ここでは、搬送端局は、光信号として、SDH（Synchronous Digital Hierarchy）を採用しているとする。現用システム2-1〜nと現用MOEDM5-1〜nがそれぞれのシステムで送受信の信号を光ネットワークと無線回線との間を接続し、無線送受信装置6とアンテナ8を介して無線通信している。いずれかの現用システムの信号ルートに異常（障害；無線回線の品質劣化や故障など）があった場合に、その現用システムの信号を予備システム3-1と予備MODEM5-n+1の信号ルートにて伝送する。
【０００４】
ここで、予備システム3-1と予備MODEM5-n+1は、光ネットワーク側の冗長化ではなく、無線回線側の冗長化をおこなうものである。したがって、予備システム3-1には、Optical Interfaceが設けられていない。予備システム3-1は、現用システム2-1〜2-nの冗長化を行うもので、予備MODEM5-n+1は、現用MODEM5-1〜5-nの冗長化を行うものである。現用システムがn個に対し、予備システムが１個、現用MODEMがn個に対し、予備MODEMが１個であるので、N+1システムとなっている。
【０００５】
図2及び図３は、N+1システムSDH無線装置の予備システム制御の従来構成例のブロック図である。
図2において、100aは無線端局装置（A局とする）である。10a_1〜nは現用システム1〜nである。1a_1〜nは光I/F信号処理部である。2a_1〜nは送信信号処理部である。3a_1〜nは受信信号処理部である。4a_1〜nは無線受信回線切替部である。また、11aは予備システムである。5aはセレクタである。2a_n+1は送信信号処理部である。3a_n+1は受信信号処理部である。6aは分配部である。さらに、200aはA局のMODEM装置である。300aはA局の無線送受信装置である。400aはA局のアンテナである。500aはA局の監視制御装置である。
【０００６】
また、図３において、100bはB局の無線端局装置（A局と同じ構成であるが、区別するためにB局と呼ぶ）である。10b_1〜nは現用システム1〜nである。1b_1〜nは光I/F信号処理部である。2b_1〜nは送信信号処理部である。3b_1〜nは受信信号処理部である。4b_1〜nは無線受信回線切替部である。また、11bは予備システムである。5bはセレクタである。2b_n+1は送信信号処理部である。3b_n+1は受信信号処理部である。6bは分配部である。さらに、200bはB局のMODEM装置である。300bはB局の無線送受信装置である。400bはB局のアンテナである。500bはB局の監視制御装置である。
【０００７】
光I/F信号処理部2a_1〜n、2b_1〜nは、光信号を電気信号に変換したり、電気信号を光信号に変換する。送信信号処理部2a_1〜n、2b_1〜nは、電気信号に変換された信号のフレーム同期を取ったり、エラー信号の処理などのオーバヘッドの処理を行う。受信信号処理部3a_1〜n、3b_1〜nは、無線周波数の信号から変換された電気信号のフレーム同期を取ったり、エラー信号の処理などのオーバヘッドの処理を行ったり、信号のドロップ・インサートなどを行う。
【０００８】
B局の現用システムの受信信号処理部3b_1〜nのいずれかで回線品質劣化または機器故障等ALM(警報)を検出した時、A局の監視制御装置500aから制御信号TX SELaが送信される。制御信号TX SELaに従い、予備システム11aのセレクタ5aは、各現用システムからの光I/F信号処理部での処理後の信号TSPa1〜nのうち、障害が発生したシステムの信号を選択し、送信信号処理部2a_n+1に出力する。そして、MODEM装置200a、無線送受信装置300a、アンテナ400a、無線区間、アンテナ400b、無線送受信装置300b、MODEM装置200bを通してB局の無線端局装置100bの予備システム11bに入力する。ここで、A局の現用システム10a_1〜10a_nは、それぞれ、B局の現用システム10b_1〜10b_nにそれぞれ対応している。また、A局の予備システム11aは、B局の予備システム11bに対応している。また、A局の現用システム10a_1〜10a_n及びB局の現用システム10b_1〜10b_n、予備システム11a、11bがそれぞれ無線区間で使用する無線波長も決められている。たとえば、A局の現用システム10a_1は、B局の現用システム10b_1と対応しており、B局の現用システム10b_1における受信信号に障害が発生した場合には、A局の現用システム10a_1に問題が発生したと判断される。無線区間でのフェージング等により信号が劣化することが起こる。A局の現用システム10a_1からの信号が劣化していることがB局の現用システム10b_1で検出された場合には、予備システム11aと11bを使用することにより、無線区間で使用する周波数を変えることができる。予備システムの、現用システムとは異なる周波数を使用することにより、フェージング等の影響が軽減することが期待される。したがって、信号劣化が発生した場合も現用システムから予備システムに切り替えて、通信を行う。
【０００９】
予備システム11bでは、受信信号処理部3b_n+1での処理を行い、分配部6bで各現用システムに分配する。監視制御装置500bからの制御信号SPSELb1〜nに従い、ALMを検出した現用システムの無線受信回線切替部4b_1〜nで、自システムの受信信号処理後の信号を選択している状態から、分配部6bからの信号RSPb1〜nを選択する状態に切替える。そして、光I/F信号処理部1b_1〜1b_nでの処理を行い、搬送端局BにOPT1〜n（Optical Interface）として出力する。
【００１０】
予備システムから現用システムに接続する信号RSPb_1〜nは、シェルフ間または装置間のケーブル接続によって転送される。
従来技術には、最小のリソースでシステムの信頼性を保つとともに処理引継ぎに伴うサービスの過渡的な低下を避ける冗長構成切り替えシステムがある。
【先行技術文献】
【特許文献】
【００１１】
【特許文献１】特開２００２−５５８４０号公報
【発明の概要】
【発明が解決しようとする課題】
【００１２】
従来のN+1システムSDH無線装置では、いずれかの現用システムで回線品質劣化、または、機器故障等ALM(警報)を検出し、予備システムの信号を使用しているとき、正常な現用システムにも予備システムの信号を分配していた。このため、消費電力が大きくなり、また、予備システムの信号の分配はケーブルで行うため妨害波の放射も大きいものであった。
【００１３】
また、従来のN+1システムSDH無線装置では、全ての現用システムの信号ルートが正常であり、予備システムの信号を現用システムで使用しない場合でも、予備システムの疑似信号（ランダム信号等）を全ての現用システムに分配していた。このため、消費電力が大きくなっており、また、予備システムの信号の分配はケーブルで行うため妨害波の放射も大きいものであった。
【００１４】
以下の実施形態では、消費電力がより少なく、妨害波の放射もより少ない無線装置を提供する。
【課題を解決するための手段】
【００１５】
以下の実施形態の一側面における無線装置は、複数の現用システムに対し予備システムを設け、現用システムにおける障害が発生した場合に、現用システムの主信号を予備システムを介して転送する、光信号を無線信号として転送したり、無線信号を光信号として転送する無線装置であって、障害が発生した現用システムからの主信号を選択した際に、該現用システムの識別番号を、システム識別信号として、送出する主信号に付与するシステム識別信号付与部と、受信した主信号を現用システムに分配する分配部と、受信した主信号に付与されている該システム識別信号から、予備システムを使用している現用システムの識別番号を取得し、該識別番号に対応する現用システムのみに、受信した主信号を分配するように、該分配部を制御するシステム識別信号検出部とを備える。
【発明の効果】
【００１６】
以下の実施形態によれば、消費電力がより少なく、妨害波の放射もより少ない無線装置を提供することができる。
【図面の簡単な説明】
【００１７】
【図１】N+1システムSDH無線装置の構成例を示す図である。
【図２】N+1システムSDH無線装置の予備システム制御の従来構成例のブロック図（その１）である。
【図３】N+1システムSDH無線装置の予備システム制御の従来構成例のブロック図（その２）である。
【図４】本実施形態の予備システムのみを示したブロック図である。
【図５】本実施形態の無線装置のブロック構成図（その１）である。
【図６】本実施形態の無線装置のブロック構成図（その２）である。
【図７】本実施形態の無線装置の別の構成例を示す図（その１）である。
【図８】本実施形態の無線装置の別の構成例を示す図（その２）である。
【図９】識別信号の転送手段を説明する図である。
【図１０】本実施形態の全体の処理の流れを説明するフローチャートである。
【図１１】システム識別信号付与部の処理の流れを示すフローチャートである。
【図１２】システム識別信号検出部の処理の流れを示すフローチャートである。
【発明を実施するための形態】
【００１８】
図４は、本実施形態の予備システムのみを示したブロック図である。
100aはA局の無線端局装置である。11aは予備システムである。5aはセレクタである。7aはシステム識別信号付与部である。2a_n+1は送信信号処理部である。3a_n+1は受信信号処理部である。8aはシステム識別信号検出部である。6aは分配部である。また、200aはA局のMODEM装置である。300aはA局の無線送受信装置である。400aはA局のアンテナである。
【００１９】
100bはB局の無線端局装置である。11bは予備システムである。5bはセレクタである。7bはシステム識別信号付与部である。2b_n+1は送信信号処理部である。3b_n+1は受信信号処理部である。8bはシステム識別信号検出部である。6bは分配部である。また、200bはB局のMODEM装置である。300bはB局の無線送受信装置である。400bはB局のアンテナである。
【００２０】
予備システム11a、11bのセレクタ5a、5bの出力信号に予備回線を使用する現用システムを特定できる識別信号をインバンドで挿入するシステム識別信号付与部7a、7bを設ける。予備システム11a、11bの受信信号処理部3a_n+1、3b_n+1の後段に予備回線を使用する現用システムを表す識別信号の検出機能を持つシステム識別信号検出部8a、8bを設ける。識別信号を検出し、識別信号で示される、予備回線を使用している現用システムにのみに予備システムの信号を出力し、他の現用システムへの信号の分配を停止するように、分配部6a、6bを制御する。
【００２１】
また、システム識別信号検出部8a、8bは、識別信号として、現用システムのものではないものを検出した場合には、受信信号処理部3a_n+1、3b_n+1からの信号を、いずれの現用システムにも分配しないように、分配部6a、6bを制御する。
【００２２】
以上の構成により、予備システムの信号の分配を、予備回線を使用する現用回線にのみ行うことで、従来構成より、消費電力を低下させ、妨害波の放射を少なく（EMI(Electromagnetic Interference)特性の向上）できる。
【００２３】
また、予備回線未使用時に予備システムの信号の分配を停止することで通常時の消費電力を低下させ、妨害波の放射を少なく（EMI特性の向上）できる。
【００２４】
図５及び図６は、本実施形態の無線装置のブロック構成図である。
図５において、100aはA局の無線端局装置である。10a_1〜nは現用システム1〜nである。1a_1〜nは光I/F信号処理部である。2a_1〜nは送信信号処理部である。3a_1〜nは受信信号処理部である。4a_1〜nは無線受信回線切替部である。また、11aは予備システムである。5aはセレクタである。7aはシステム識別信号付与部である。2a_n+1は送信信号処理部である。3a_n+1は受信信号処理部である。8aはシステム識別信号検出部である。6aは分配部である。そして、200aはA局のMODEM装置である。300aはA局の無線送受信装置である。400aはA局のアンテナである。500aはA局の監視制御装置である。
【００２５】
また、図６において、100bはB局の無線端局装置である。10b_1〜nは現用システム1〜nである。1b_1〜nは光I/F信号処理部である。2b_1〜nは送信信号処理部である。3b_1〜nは受信信号処理部である。4b_1〜nは無線受信回線切替部である。また、11bは予備システムである。5bはセレクタである。7bはシステム識別信号付与部である。2b_n+1は送信信号処理部である。3b_n+1は受信信号処理部である。8bはシステム識別信号検出部である。6bは分配部である。そして、200bはB局のMODEM装置である。300bはB局の無線送受信装置である。400bはB局のアンテナである。500bはB局の監視制御装置である。
【００２６】
B局の現用システムの受信信号処理部3b_1〜nのいずれかで回線品質劣化または機器故障等のALM(警報)を検出したとする。この警報は、B局の監視制御装置500bから、監視制御用のチャネルを使ってA局の監視制御装置500aに通知される。A局の監視制御装置500aは、B局のどの現用システム10b_1〜10b_nの受信信号処理部3b_1〜nで警報が発生したかを検出し、A局の対応する現用システム10a_1〜10a_nを特定する。そして、A局の監視制御装置500aは、特定された現用システムを予備システムに切り替えるべき旨の制御信号TX SELaを生成する。A局の監視制御装置500aからの制御信号TX SELaに従い、予備システム11aのセレクタ5aは、各現用システムからの光I/F信号処理部の後の信号TSPa1〜nのうち、当該現用システムの信号を選択し出力する。システム識別信号付与部7aは、選択した現用システムの識別信号を信号に付与し、送信信号処理部2a_n+1に出力する。システム識別信号付与部7aは、セレクタ5aが、どのポートの信号を選択して出力したかを検出し、選択されたポートが接続されている現用システムの識別番号を取得する。そして、この識別番号を現用システムの識別信号として、インバンドで主信号に付与する。
【００２７】
送信信号処理部2a_n+1からの信号は、MODEM装置200a、無線送受信装置300a、アンテナ400a、無線区間、アンテナ400b、無線送受信装置300b、MODEM装置200bを通してB局の無線端局装置100bの予備システム11bに入力する。予備システム11bでは、受信信号処理部3b_n+1での処理を行った後、識別信号検出部8bにて予備システムを使用している現用システムを特定する。そして、分配部6bに指示して、予備システムを使用している現用システムに対応する自無線端局装置の現用システムにのみ、受信した主信号を出力し、他の現用システムには分配しない。
【００２８】
識別信号検出部8bにおいて、現用システムの識別番号と判明しない番号を検出した場合には、予備システムからランダム信号等の擬似信号が送られて来ているとして、分配部6bに、全ての信号を非選択にすることを指示する。現用システムの識別番号と判明しない番号とは、たとえば、００ｈであるとか、ＦＦｈなどの、現用システムの識別番号としては付与されていない番号である。
【００２９】
監視制御装置500bからの制御信号SPSELbに従い、ALMを検出した現用システムの無線受信回線切替部4b_1〜4b_nで、自システムの受信信号処理部の処理後の信号を選択している状態から、分配部6bからの信号RSPb_1〜RSPb_nを選択する状態に切替える。そして、その切り替えられた信号を光I/F信号処理部で処理し、搬送端局BにOPT1〜n（Optical Interface）として出力する。
【００３０】
図７及び図８は、本実施形態の無線装置の別の構成例を示す図である。
図７及び図８において、図５及び図６と同様な構成要素には同様な参照符号を付し、それらの説明を省略する。
【００３１】
図７及び図８において、図５及び図６と異なるところは、図５及び図６では、光I/F信号処理部1a_1~1a_n、1b_1〜1b_nから送信信号処理部2a_1~2a_n、2b_1~2b_nへ送信される信号は、全て予備システム11a、11bのセレクタ5a、5bに送られている。これによれば、光I/F信号処理部1a_1~1a_n、1b_1~1b_nからセレクタ5a、5bの間はケーブルで接続されており、妨害波の放射が大きくなっている。一方、図７及び図８では、光I/F信号処理部1a_1~1a_n、1b_1~1b_nの後段に、イネーブルスイッチ510a_1~510a_n、510b_1~510b_nが設けられている。このイネーブルスイッチ510a_1~510a_n、510b_1~510b_nは、それぞれ、監視制御装置500a、500bからの送端並列命令SPDRVa_1~n、SPDRVb_1~nによって制御される。監視制御装置500a、500bは、障害が発生した現用システムのイネーブルスイッチのみをイネーブルとし、他の現用システムのイネーブルスイッチはディスエイブルとする。これにより、障害が発生した現用システムの信号のみを、予備システム11a、11bのセレクタ5a、5bに送信するようになる。したがって、常に全ての現用システムがセレクタ5a、5bに信号を送信しないようになるので、妨害波の放射を抑えることができる。
【００３２】
図９は、識別信号の転送手段を説明する図である。
図９は、STM-1フレームのフォーマットである。上記実施形態では、搬送端局は、SDHを採用しており、STMフレームで光信号を転送しているものとしている。そして、STMフレームは、フレーム同期やエラー信号の処理が行われながらも、フレーム自体は解体されず、そのまま無線区間を転送されるとしている。ここで、STMフレームは、光信号のフレームであるが、電気信号でも、STMフレームの形式を使って信号が転送されるので、電気信号で転送されるフレームを、STM相当のフレームという。予備システムで、現用システムの識別番号を識別信号としてインバンドで主信号に付与し、転送する。その方法として、STM-1フレームのオーバヘッドのZ2バイトを用いることが考えられる。Z2バイトは、ユーザ定義バイトとされており、ユーザが定義して使うことができるバイトである。したがって、現用システムの識別番号をこのZ2バイトに埋め込んで、A局からB局へ、あるいは、B局からA局へ送信することが可能である。
【００３３】
図１０は、本実施形態の全体の処理の流れを説明するフローチャートである。
ステップＳ１０において、受信側の無線端局装置100b（B局を受信側とする）の現用システムのいずれかでALMを検出する。すなわち、現用システム１〜ｎのいずれかの受信信号処理部で回線品質劣化または機器故障等の警報ALMb1〜nを検出する。ステップＳ１１において、送信側の無線端局装置100a（A局を送信側とする）の予備システムのセレクタ5aは、障害が起きた受信側のシステムに対応する現用システムの主信号を選択する。すなわち、予備システムのセレクタ5aは、監視制御装置500aからの当該現用システムの送端並列命令（TX SELa）を制御信号として当該現用システムの主信号を選択し、システム識別信号付与部7aに送信する。ステップＳ１２において、無線端局装置100aのシステム識別信号付与部7aにおいて、予備システムの主信号に、選択した現用システムの識別信号を付与し、送信する。すなわち、予備システムのシステム識別信号付与部7aは、セレクタで選択した現用システムを示すシステム識別信号を主信号に付加し、送信する。
【００３４】
ステップＳ１５において、無線端局装置100bのシステム識別信号検出部8bで受信信号のシステム識別信号がどの現用システムのものかチェックする。ステップＳ１６で、識別番号が現用システムのものと識別できなければ、ステップＳ２０に進み、無線端局装置100bの予備システムは、後段の処理をディスエイブルする。ステップＳ１６の判断がＹｅｓで、どの現用システムのものか識別できたら、ステップＳ１８において、無線端局装置100bの分配部6bで、当該現用システムへの信号の分配のみイネーブルとする。ステップＳ１９において、無線端局装置100bの当該現用システムの無線受信回線切替部4bにおいて、予備システムからの信号RSPbを選択して処理を終了する。
【００３５】
図１１は、システム識別信号付与部の処理の流れを示すフローチャートである。
ステップＳ３０において、システム識別信号付与部は、監視制御装置からの現用システムを選択する送端並列命令（TX SELa）を受信する。ステップＳ３１において、受信した送端並列命令が、セレクタで選択する現用システムを表す制御信号であったか否かを判断する。ステップＳ３１の判断がＮｏの場合には、ステップＳ３２において、予備システム未使用を表すシステム識別信号（現用システムの識別番号以外の番号）を主信号のオーバヘッドに付与して処理を終了する。ステップＳ３１の判断がＹｅｓの場合には、ステップＳ３３において、セレクタで選択した予備システムを使用する現用システムを表すシステム識別信号を主信号のオーバヘッドに付与して、処理を終了する。
【００３６】
図１２は、システム識別信号検出部の処理の流れを示すフローチャートである。
ステップＳ３５において、受信信号処理部からの主信号を受信する。ステップＳ３６において、受信した主信号のオーバヘッドの識別信号が、現用システムを表すシステム識別信号か否かを判断する。ステップＳ３６の判断がＮｏの場合には、ステップＳ３７において、分配部の出力を全てディスエイブルする制御信号を出力して、処理を終了する。ステップＳ３６の判断がＹｅｓの場合、ステップＳ３８において、分配部にシステム識別信号が示す現用システムへの出力だけをイネーブルする制御信号を出力し、処理を終了する。
【符号の説明】
【００３７】
１−１、１−２、１００ａ、１００ｂ      無線端局装置
２−１〜２−ｎ、１０ａ＿１〜１０ａ＿ｎ、１０ｂ＿１〜１０ｂ＿ｎ      現用システム１〜ｎ
３−１、１１ａ、１１ｂ      予備システム
４−１、４−２、２００ａ、２００ｂ      ＭＯＤＥＭ装置
５−１〜５−ｎ      現用ＭＯＤＥＭ１〜ｎ
６、３００ａ、３００ｂ      無線送受信装置
７、５００ａ、５００ｂ      監視制御装置
８、４００ａ、４００ｂ      アンテナ
１ａ＿１〜１ａ＿ｎ、１ｂ＿１〜１ｂ＿ｎ      光Ｉ／Ｆ信号処理部
２ａ＿１〜２ａ＿ｎ＋１、２ｂ＿１〜２ｂ＿ｎ＋１      送信信号処理部
３ａ＿１〜３ａ＿ｎ＋１、３ｂ＿１〜３ｂ＿ｎ＋１      受信信号処理部
４ａ＿１〜４ａ＿ｎ、４ｂ＿１〜４ｂ＿ｎ      無線受信回線切替部
５ａ、５ｂ      セレクタ
６ａ、６ｂ      分配部
７ａ、７ｂ      システム識別信号付与部
８ａ、８ｂ      システム識別信号検出部
５１０ａ＿１〜５１０ａ＿ｎ、５１０ｂ＿１〜５１０ｂ＿ｎ      イネーブルスイッチ
【図１】
2013197806.tif 000003
【図２】
2013197806.tif 000004
【図３】
2013197806.tif 000005
【図４】
2013197806.tif 000006
【図５】
2013197806.tif 000007
【図６】
2013197806.tif 000008
【図７】
2013197806.tif 000009
【図８】
2013197806.tif 000010
【図９】
2013197806.tif 000011
【図１０】
2013197806.tif 000012
【図１１】
2013197806.tif 000013
【図１２】
2013197806.tif 000014